(57)【要約】【課題】保管する場合に容易にコンパクトにできるベビー用バスチェアーを提供すること。【解決手段】座板、背もたれ部および保管用台部を備えるベビー用バスチェアーであって、前記座板に対して前記背もたれ部が相対的に折曲可能に構成され、保管時には、前記座板に対して前記背もたれ部を相対的に折曲した状態で且つ前記座板の前端と前記背もたれ部の上端とが上となるようにして前記座板および前記背もたれ部を前記台部にて支持できるように構成し、保管時の平面的設置スペースを使用時の平面的設置スペースよりも減少させたことを特徴としている。【選択図】　　　　図１
2004121491.tif 000002
【特許請求の範囲】
【請求項１】
座板、背もたれ部および保管用台部を備えるベビー用バスチェアーであって、前記座板に対して前記背もたれ部が相対的に折曲可能に構成され、保管時には、前記座板に対して前記背もたれ部を相対的に折曲した状態で且つ前記座板の前端と前記背もたれ部の上端とが上となるようにして前記座板および前記背もたれ部を前記台部にて支持できるように構成し、保管時の平面的設置スペースを使用時の平面的設置スペースよりも減少させたことを特徴とするベビー用バスチェアー。
【請求項２】
座板、背もたれ部および保管用台部を備えるベビー用バスチェアーであって、前記座板の後部によって前記保管用台部が構成され、前記座板の後部に対して前記座板の前部が折曲可能に構成され、保管時には、前記後部に対して前記前部を折曲した状態で前記前部の前端と前記背もたれ部の上端とが上となるようにして前記前部および前記背もたれ部を前記後部にて支持できるように構成し、保管時の平面的設置スペースを使用時の平面的設置スペースよりも減少させたことを特徴とするベビー用バスチェアー。
【請求項３】
前記背もたれ部に後端が連結された肘掛部を備え、前記肘掛部は前記背もたれ部に対して折曲可能に構成され、保管時には、前記肘掛部を前記背もたれ部に重ね合わせた状態で前記台部にて支持されることを特徴とする請求項１に記載のベビー用バスチェアー。
【請求項４】
前記肘掛部を支持する肘掛支持部を備え、前記肘掛支持部、前記肘掛部、前記背もたれ部および前記座板は４節リンクを構成していることを特徴とする請求項３に記載のベビー用バスチェアー。
【請求項５】
前記台部に後端が連結された肘掛部を備え、前記肘掛部は前記台部に対して折曲可能に構成され、保管時には、前記肘掛部の前端が上となるように前記台部にて支持されることを特徴とする請求項１に記載のベビー用バスチェアー。
【請求項６】
前記肘掛部を支持する肘掛支持部を備え、前記肘掛支持部、前記肘掛部、前記台部および前記座板は４節リンクを構成していることを特徴とする請求項５に記載のベビー用バスチェアー。
【請求項７】
前枠を備えることを特徴とする請求項１、請求項３〜請求項６いずれか一項に記載のベビー用バスチェアー。
【請求項８】
前記肘掛支持部には前枠が設けられていることを特徴とする請求項６に記載のベビー用バスチェアー。
【請求項９】
前記背もたれ部をリクライニング可能となるように構成したことを特徴とする請求項１〜請求項８いずれか一項に記載のベビー用バスチェアー。
【請求項１０】
前記背もたれ部および前記座板にわたって、柔軟な材料で作成したカバーを備えたことを特徴とする請求項１〜９いずれか一項に記載のベビー用バスチェアー。
【発明の詳細な説明】
【０００１】
【発明の属する技術分野】
本発明は、ベビー用バスチェアーに関するものである。
【０００２】
【従来の技術】
風呂場で使用されるベビー用バスチェアーとして、幼児が座る座板と、座板の前部に折畳み可能に取り付けられた支柱と、支柱の両側に回動自在に取り付けられて、座板に座った幼児の胴体部分を囲む枠部材と、基端部が座板に折畳み可能に取り付けられるとともに、先端側が枠部材の底側に着脱可能に構成されて枠部材を水平状態に支持する支持部材とを備えたものが知られている（特許文献１）。
【０００３】
【特許文献１】
登録実用新案第３０３９７０５号公報（図１）
【０００４】
【発明が解決しようとする課題】
しかしながら、上記特許文献１の場合、折り畳むことはできるものの、風呂場内に常置しておくには不便である。すなわち、上記特許文献１の場合には、折り畳んだとしても座板分だけの平面的設置スペースが必要となるため、その分、洗い場の面積（平面的スペース）が減少してしまう。また、それを回避するために、座板を起立させて風呂場の壁に立て掛けておくことも考えられるが、単に、立て掛けておいた場合には壁からずり落ちてしまうという問題がある。
【０００５】
本発明は、このような問題点に鑑みて成されたもので、保管に適したベビー用バスチェアーを提供することを目的とする。
【０００６】
【課題を解決するための手段】
第１の手段に係るベビー用バスチェアーは、座板、背もたれ部および保管用台部を備えるベビー用バスチェアーであって、前記座板に対して前記背もたれ部が相対的に折曲可能に構成され、保管時には、前記座板に対して前記背もたれ部を相対的に折曲した状態で且つ前記座板の前端と前記背もたれ部の上端とが上となるようにして前記座板および前記背もたれ部を前記台部にて支持できるように構成し、保管時の平面的設置スペースを使用時の平面的設置スペースよりも減少させたことを特徴とする。
このベビー用バスチェアーによれば、座板に対して背もたれ部を相対的に折曲し、この状態で座板の前端と背もたれ部の上端とが上となるようにし、座板および背もたれ部を台部にて支持させることにより、保管状態となる。この保管状態の平面的設置スペースは使用時の平面的設置スペースよりも小さくなる。
【０００７】
第２の手段に係るベビー用バスチェアーは、座板、背もたれ部および保管用台部を備えるベビー用バスチェアーであって、前記座板の後部によって前記保管用台部が構成され、前記座板の後部に対して前記座板の前部が折曲可能に構成され、保管時には、前記後部に対して前記前部を折曲した状態で前記前部の前端と前記背もたれ部の上端とが上となるようにして前記前部および前記背もたれ部を前記後部にて支持できるように構成し、保管時の平面的設置スペースを使用時の平面的設置スペースよりも減少させたことを特徴とする。
このベビー用バスチェアーによれば、座板後部に対して座板前部を折曲し、この状態で座板前部の前端と背もたれ部の上端とが上となるようにし、座板前部および背もたれ部を座板後部にて支持させることにより、保管状態となる。この保管状態の平面的設置スペースは使用時の平面的設置スペースよりも小さくなる。。
【０００８】
第３の手段に係るベビー用バスチェアーは、第１の手段に係る手段に係るベビー用バスチェアーにおいて、前記背もたれ部に後端が連結された肘掛部を備え、前記肘掛部は前記背もたれ部に対して折曲可能に構成され、保管時には、前記肘掛部を前記背もたれ部に重ね合わせた状態で前記台部にて支持されることを特徴とする。
このベビー用バスチェアーによれば、肘掛部を背もたれ部に重ね合わせた状態で、台部にて支持することができる。その結果、コンパクトに折り畳むことができる。
【０００９】
第４の手段に係るベビー用バスチェアーは、第３の手段に係るベビー用バスチェアーにおいて、前記肘掛部を支持する肘掛支持部を備え、前記肘掛支持部、前記肘掛部、前記背もたれ部および前記座板は４節リンクを構成していることを特徴とする。
このベビー用バスチェアーによれば、肘掛支持部、肘掛部、背もたれ部および座板は４節リンクを構成しているので、座板に対して背もたれ部を相対的に折曲するだけで簡単に折り畳んで保管状態とすることができる。
【００１０】
第５の手段に係るベビー用バスチェアーは、第１の手段に係るベビー用バスチェアーにおいて、前記台部に後端が連結された肘掛部を備え、前記肘掛部は前記台部に対して折曲可能に構成され、保管時には、前記肘掛部の前端が上となるように前記台部にて支持されることを特徴とする。
このベビー用バスチェアーによれば、肘掛部を起立させた状態で、台部にて支持することができる。その結果、コンパクトに折り畳むことができる。
【００１１】
第６の手段に係るベビー用バスチェアーは、第５の手段に係るベビー用バスチェアーにおいて、前記肘掛部を支持する肘掛支持部を備え、前記肘掛支持部、前記肘掛部、前記台部および前記座板は４節リンクを構成していることを特徴とする。
このベビー用バスチェアーによれば、肘掛支持部、肘掛部、台部および座板は４節リンクを構成しているので、座板を動作するだけで、簡単に折り畳んで座板等を保管状態とすることができる。
【００１２】
第７の手段に係るベビー用バスチェアーは、第１、第３〜第６の手段に係るベビー用バスチェアーにおいて、前枠を備えることを特徴とする。
このベビー用バスチェアーによれば、前枠によって幼児が前側に倒れるのを防止することができる。
【００１３】
第８の手段に係るベビー用バスチェアーは、第６の手段に係るベビー用バスチェアーにおいて、前記肘掛支持部には前枠が設けられていることを特徴とする。このベビー用バスチェアーによれば、肘掛支持部、肘掛部、台部および座板は４節リンクを構成しているので、座板を動作するだけで、簡単に折り畳んで座板や前枠等を保管状態とすることができる。
【００１４】
第９の手段に係るベビー用バスチェアーは、第１〜第８いずれか一の手段に係るベビー用バスチェアーにおいて、前記背もたれ部をリクライニング可能となるように構成したことを特徴とする。
このベビー用バスチェアーによれば、背もたれ部がリクライニング可能に構成されているので、背もたれ部をリクライニングさせることにより、幼児に様々な姿勢を取らせることができる。
【００１５】
第１０の手段に係るベビー用バスチェアーは、第１〜第９いずれか一の手段に係るベビー用バスチェアーにおいて、前記背もたれ部および前記座板にわたって、柔軟な材料で作成したカバーを備えたことを特徴とする。
このベビー用バスチェアーによれば、背もたれ部および座板にわたって柔軟な材料で作成したカバーを備えるので、肌触りのよいバスチェアーが実現できる。
【００１６】
【発明の実施の形態】
図１は第１実施形態に係るベビー用バスチェアーの全体を示した斜視図、図２はそのベビー用バスチェアーを折り畳んで保管する状態を示した斜視図、図３は図１および図２に示したベビー用バスチェアーの骨組みを示した斜視図、図４〜図６は図３に示したベビー用バスチェアーの各態様を示す模式的な側面図である。
【００１７】
このベビー用バスチェアーは、座板１０と、座板１０の後端部に下端部を連結させた背もたれ部２０と、座板１０の前端部に下端部を連結させた肘掛支持部３０と、肘掛支持部３０の上端部と背もたれ部２０とに連結させた肘掛部４０とによって４節リンクを構成するとともに、背もたれ部２０を所定の傾斜位置に保持するロック手段５０を備えている。
【００１８】
このうち座板１０は、前端部上面の幅方向中央に凸部１１を有している。この凸部１１は、座板１０に幼児が着座した際に幼児の股を開かせるように作用するとともに、前に幼児が滑らないようにストッパとして作用する。また、座板１０は、後端部両側面に外方へ張り出した軸受部１２を備えている。さらに、座板１０は、後端部に保管用台部１３を備えており、台部１３の幅方向中央部に、背もたれ部２０を受け止めるストッパ１４が形成されている。
【００１９】
背もたれ部２０は、下端部両側面の軸２１が軸受部１２によって回動自在に支持されている。この背もたれ部２０は枠状に構成されている。枠状に構成したのは、第１に、折り畳む際に、背もたれ部２０を折り畳む際にその背もたれ部２０が前記凸部１１とぶつかり合わないようにして折畳みが阻害されるのを防止するため、第２に、背もたれ部２０の枠内を後述のカバー６０で構成するためである。
なお、第１の点、つまり背もたれ部２０と凸部１１とのぶつかり合いを防止するには、背もたれ部２０を必ずしも枠状に構成する必要はなく、背もたれ部を板状に構成し、その背もたれ部において凸部１１とぶつかり合うおそれのある部分に開口や凹部を設けてもよい。
【００２０】
肘掛支持部３０は、下端部が座板１０の前端部両側面に軸３１によって回動自在にそれぞれ連結され、それらの肘掛支持部３０の上端部には保護枠（前枠）３２が差し渡して固定されている。この保護枠３２の上面には玩具等が付設されている。
【００２１】
肘掛部４０は、肘掛支持部３０の上部部側面と背もたれ部２０の中間部側面とに差し渡され、両端部が軸４１，４２によってそれぞれ連結されている。
【００２２】
ロック手段５０は、背もたれ部２０を適宜な傾斜角度に保持するためのもので、例えば、背もたれ部２０の側面部に１つの孔５１を形成し、軸受部１２の回動中心に対する同心円上に１つまたは複数の孔５２を形成し（実施の形態では２つ）、それらの孔５２の１つを選択し、該孔５２と背もたれ部２０の孔５１とにピン５３を挿通させることによって、背もたれ部２０を適宜な傾斜角度に保持させる。
【００２３】
このように構成されたベビー用バスチェアーでは、図１に示したように、背もたれ部２０と座板１０とにわたって布、合成樹脂等の柔軟な材質によってメッシュ状に形成されたカバー６０が被せられ、ベルト６１によって背もたれ部２０、肘掛部４０等に取付けられる。背もたれ部２０は上述のように枠状に構成されているため、カバー６０においてその枠内に位置する部分は背もたれ部として機能する。
なお、ベルト６１に、面ファスナーを取付け、それらの面ファスナーを互いにかみ合わせることによってベルト６１を背もたれ部２０，肘掛部４０に巻きつけるようにすると、カバー６０の着脱が容易になる。
【００２４】
このベビー用バスチェアーは、通常、図１，図３，図４に示した状態で使用される。この状態で、座板１０に尻を載せ、座板１０の先端から足を出し、背もたれ部２０に背中を当てた状態でベビーを収容する。その際、凸部１１は両足間に位置させる。この凸部１１と保護枠３２とは、座板１０の先端から身体が抜け出るのを防止する。
【００２５】
この状態から、ロック手段５０のロックを解除し、背もたれ部２０を図５に示したように倒すと、背もたれ部２０はストッパ１４に受け止められて、最も傾斜した状態、即ち、ベビーが寝た状態に維持される。この状態で、ベビーの洗髪が行われる。
【００２６】
また、このベビー用バスチェアーを保管する場合には、ロック手段５０のロックを解除し、背もたれ部２０を図６に示したように座板１０に重ねるように前方に倒すと、肘掛部４０を介して肘掛支持部３０も前方に倒れこみ、全体が扁平状に畳まれる。この状態で、保管用台部１３を下にして自立した状態で保管場所に載置させる。
【００２７】
なお、上記実施の形態では、ロック手段５０を背もたれ部２０，軸受部１２にそれぞれ形成した孔５１，５２と、それらの孔に挿通させるピンとによって構成しているが、このような構成に限定されることなく、他の公知のロック手段を採用してもよい。
【００２８】
また、上記実施の形態では、保護枠３２を肘掛支持部３０，３０に固定しているが、例えば、保護枠３２の一端を回動自在に一方の肘掛支持部３０に取付け、他方を他方の肘掛支持部３０に着脱自在に係止させるようにすれば、ベビーの収容および取出しが容易になる。
【００２９】
図７は第２実施形態に係るベビー用バスチェアーの全体を示した斜視図、図８および図９は図７に示したベビー用バスチェアーの各態様を示す側面図である。
【００３０】
このベビー用バスチェアーは、座板１１０の後端部に設けた保管用台部１７０と、座板１１０と、座板１１０の前端部に下端部を連結させた肘掛支持部１３０と、肘掛支持部１３０の上端部と保管用台部１７０とに連結させた肘掛部１４０とによって４節リンクを構成する（図１０参照）とともに、背もたれ部１２０を所定の傾斜位置に保持する支持部材１５０を備えている。
【００３１】
このうち座板１１０は、前端部上面の幅方向中央に凸部１１１を有している。また、座板１１０の後端部は軸１１２を介して保管用台部１７０に軸支されている。
【００３２】
背もたれ部１２０の下端部は軸１２２を介して保管用台部１７０に軸支されている。背もたれ部１２０は枠状に構成されている。枠状に構成した理由は第１実施形態に係るベビー用バスチェアーの場合と同様である。
【００３３】
肘掛支持部１３０の下端部は軸１３２を介して座板１１０に軸支されている。また、肘掛支持部１３０の上端部には保護枠（前枠）１３３が差し渡して固定されている。
【００３４】
肘掛部１４０は、肘掛支持部１３０の上部部側面と保管用台部１７０の中間部側面とに差し渡され、軸１４１，１４２を介してそれぞれ軸支されている。
【００３５】
支持部材１５０は、保管用台部１７０に形成したストッパ１７１（傾斜面；図１２）と相まって背もたれ部１２０を適宜な傾斜角度に保持する機能を有する。この支持部材１５０の上端部は背もたれ部１２０に軸１５２を介して軸支されている。支持部材１５０の下端部は、図１１に示されるように、その支持部材１５０の起立を補助する補助部材１５３の一端部に軸１５４を介して軸支されている。また、補助部材１５３の他端部は図９に示す軸１５３を介して保管用台座１７０に軸支されている。その結果、背もたれ部１２０、支持部材１７０、補助部材１５３および保管用台部１７０は４節リンクを構成し、背もたれ部１２０を折り畳んだ際に、支持部材１５０も保管用台座１７０の上方位置まで収納される。
【００３６】
このように構成されたベビー用バスチェアーでは、図示はしないが第１実施形態と同様に、背もたれ部１２０と座板１１０とにわたって布、合成樹脂等の柔軟な材質によってメッシュ状に形成されたカバーが被せられる。この場合、背もたれ部１２０は上述のように枠状に構成されているため、カバーにおいてその枠内に位置する部分は背もたれ部として機能する。
【００３７】
このベビー用バスチェアーは、通常、図７に示した状態で使用される。そして、図８および図９に示すようにして折り畳まれる。すなわち、座板１１０を上方に折り畳み（図８）、背もたれ部１２０を前方に向けて移動させ起立させることにより、保管状態となる（図９）。
【００３８】
以上、本発明の実施形態について説明したが、本発明は、かかる実施形態に限定されるものでなく、その要旨を逸脱しない範囲で種々変形可能であることはいうまでもない。
【００３９】
【発明の効果】
本発明の代表的なものの効果を説明すれば、座板、背もたれ部および保管用台部を備えるベビー用バスチェアーであって、前記座板に対して前記背もたれ部が相対的に折曲可能に構成され、保管時には、前記座板に対して前記背もたれ部を相対的に折曲した状態で且つ前記座板の前端と前記背もたれ部の上端とが上となるようにして前記座板および前記背もたれ部を前記台部にて支持できるように構成し、保管時の平面的設置スペースを使用時の平面的設置スペースよりも減少させたので、保管する場合に容易にコンパクト化できる。
【図面の簡単な説明】
【図１】第１実施形態に係るベビー用バスチェアーの全体を示した斜視図である。
【図２】第１実施形態に係るベビー用バスチェアーを折り畳んで保管する状態を示した斜視図である。
【図３】図３は図１および図２に示したベビー用バスチェアーの骨組みを示した斜視図である。
【図４】図３に示したベビー用バスチェアーの一態様を示した模式的な側面図である。
【図５】図３に示したベビー用バスチェアーの他の態様を示した模式的な側面図である。
【図６】図３に示したベビー用バスチェアーのさらに他の態様を示した模式的な側面図である。
【図７】第２実施形態のベビー用バスチェアーの骨組みを示した斜視図である。
【図８】図７に示したベビー用バスチェアーの一態様を示した模式的な側面図である。
【図９】図７に示したベビー用バスチェアーの他の態様を示した模式的な側面図である。
【図１０】第２実施形態のベビー用バスチェアーの４節リンクを模式的に示した図である。
【図１１】図７に示したベビー用バスチェアーの支持部材と補助部材との連結状態を示した図である。
【図１２】図７に示したベビー用バスチェアーのストッパの構造を示した図である。
【符号の説明】
１０、１１０　　　座板
１３、１７０　　　保管用台部
２０、１２０　　　背もたれ部
３０、１３０　　　肘掛支持部
４０、１４０　　　肘掛部
６０　　　　　　　カバー
【図１】
2004121491.tif 000003
【図２】
2004121491.tif 000004
【図３】
2004121491.tif 000005
【図４】
2004121491.tif 000006
【図５】
2004121491.tif 000007
【図６】
2004121491.tif 000008
【図７】
2004121491.tif 000009
【図８】
2004121491.tif 000010
【図９】
2004121491.tif 000011
【図１０】
2004121491.tif 000012
【図１１】
2004121491.tif 000013
【図１２】
2004121491.tif 000014